(57)【特許請求の範囲】
【請求項１】
内燃機関の点火装置に印加する高電圧を発生する内燃機関用点火コイルであって、
棒状のコア本体からなる中心コア部と、
前記中心コア部の外周に配設された一次スプールおよび二次スプールと、
前記一次スプールに巻回された一次コイル、および前記二次スプールに巻回された二次コイルと、
前記中心コア部、前記一次スプール、前記二次スプール、前記一次コイル及び前記二次コイルを収容する収容室を形成するハウジングと、該ハウジングの前記収容室内に充填された樹脂絶縁材とからなる点火コイルであって、
前記中心コア部の軸方向の両端角部を覆い、中心コア部の軸方向端面における厚みが、前記中心コア部の外周側面における厚みよりも厚い緩衝部材と、
を備えることを特徴とする内燃機関用点火コイル。
【請求項２】
前記中心コア部は、さらに、前記コア本体の軸方向両端の少なくともいずれか一方に配設された永久磁石を有することを特徴とする請求項１記載の内燃機関用点火コイル。
【請求項３】
前記緩衝部材は、前記中心コア部の外周側面を覆う円筒部と、前記円筒部の軸方向端に設けられ中央に貫通孔を形成した環状部とを有し、前記環状部は、前記円筒部よりも厚くなるように成形されていることを特徴とする請求項１記載の内燃機関用点火コイル。
【請求項４】
前記緩衝部材は袋状に成形されており、前記中心コア部の径よりも小さい径を有する孔を前記中心コア部の軸方向両端の少なくともいずれか一方に設けることを特徴とする請求項１乃至３のいずれか一項記載の内燃機関用点火コイル。
【請求項５】
前記緩衝部材は複数の部材からなることを特徴とする請求項１乃至４のいずれか一項記載の内燃機関用点火コイル。
【請求項６】
前記中心コア部と前記緩衝部材とは一体成形されていることを特徴とする請求項１記載の内燃機関用点火コイル。
【請求項７】
前記緩衝部材はエラストマー樹脂からなることを特徴とする  請求項６記載の内燃機関用点火コイル。
【請求項８】
前記緩衝部材は熱収縮チューブからなることを特徴とする請求項６記載の内燃機関用点火コイル。
【請求項９】
前記緩衝部材は前記中心コア部の全表面を覆うことを特徴とする請求項１、２、６、７または８記載の内燃機関用点火コイル。
【請求項１０】
前記中心コア部の端部角部は面取りされていることを特徴とする請求項１〜９のいずれか一項記載の内燃機関用点火コイル。
【発明の詳細な説明】
【０００１】
【発明の属する技術分野】
本発明は、内燃機関用点火コイルに関し、特にプラグホールに直接搭載するスティック状の内燃機関用点火コイルに関する。
【０００２】
【従来の技術】
従来のスティック状の内燃機関用点火コイル（以下、「内燃機関用点火コイル」を点火コイルという）として、棒状のコア本体を有する中心コア部を軸中心に配設し、その外周に一次コイルおよび二次コイルを巻回した樹脂製のスプールを配設し、点火コイルのハウジング内に部材間の絶縁材として樹脂を充填するものが知られている。ハウジング内に充填する樹脂は絶縁材としてだけではなく、コイルの線材間に浸透しコイルの巻線崩れを防ぐ役割を果たしている。また、コア本体の軸方向両端の少なくともいずれか一方に永久磁石を配設して中心コア部を構成し、点火コイルで発生する電圧を高める構成の点火コイルも知られている。
【０００３】
【発明が解決しようとする課題】
しかしながら、樹脂絶縁材だけでなく、中心コア部の外周を取り囲むスプール等のケース部材が直接中心コア部と接した状態において、膨張率の異なる中心コア部と樹脂絶縁材やケース部材とが温度変化により膨張および収縮を繰り返すと、中心コア部と接している樹脂絶縁材やケース部材、特に中心コア部の軸方向の端部角部と接する樹脂絶縁材やケース部材に絶縁欠損部であるクラック(crack)が発生することがある。中心コア部周囲の樹脂絶縁材やケース部材にクラックが発生すると、高電圧部である二次コイルや高圧ターミナルと低電圧部である中心コア部との間でクラックを通って放電する恐れがある。高電圧部と中心コア部との間で放電が発生すると、高電圧部と中心コア部との間の絶縁が破壊されて二次コイルに発生する電圧が低下するので点火プラグに所望の高電圧を印加できなくなる。
【０００４】
また、中心コア部と樹脂絶縁材やケース部材とが温度変化により膨張および収縮を繰り返すと、膨張率の差により樹脂絶縁材やケース部材から径方向および軸方向に中心コア部が荷重を受ける。特に軸方向に中心コア部が荷重を受けると、コア本体の透磁率が低下する（以下、「中心コア部が荷重を受けて透磁率が低下すること」を磁歪という）ことがあり、点火コイルの発生電圧が低下するという問題がある。
【０００５】
本発明の目的は、中心コア部の軸方向の両端角部近傍にクラックが発生することを防止し、所望の高電圧を発生する点火コイルを提供することにある。
本発明の他の目的は、温度変化に伴い中心コア部に加わる荷重を低減し、所望の高電圧を発生する点火コイルを提供することにある。
【０００６】
【課題を解決するための手段】
本発明の請求項１及び２記載の点火コイルによると、棒状のコア本体あるいは、棒状のコア本体およびコア本体の軸方向両端の少なくともいずれか一方に配設された永久磁石からなる中心コア部の軸方向の両端角部を緩衝部材で覆っている。したがって、中心コア部の外周を取り囲むスプール等のケース部材や樹脂絶縁材が中心コア部の軸方向の両端角部と直接接することを防止するとともに、中心コア部と樹脂絶縁材やケース部材との膨張率の差を第１の緩衝部材が吸収するので、中心コア部とともに中心コア部と膨張率の異なる樹脂絶縁材やケース部材が温度変化に伴い膨張および収縮を繰り返しても、第１の緩衝部材で覆われた中心コア部の軸方向の両端角部付近の樹脂絶縁材およびケース部材に絶縁欠損部としてのクラックが発生することを防止できる。これにより、高電圧部としての二次コイルや高圧ターミナル等と低電圧部としての中心コア部との間で放電することを防止し、高電圧部と中心コア部との間の絶縁破壊を防止できるので、二次コイルに発生する電圧が低下することを防止し所望の高電圧を点火プラグに印加できる。
【０００８】
本発明の請求項４記載の点火コイルによると、緩衝部材を袋状に成形するので緩衝部材を一体成形できる。これにより部品点数が減少し、組付工数が低減する。さらに、中心コア部の径よりも小さい径を有する孔を緩衝部材の軸方向両端の少なくともいずれか一方に設けているので、一体成形した緩衝部材の孔からコア本体や永久磁石を緩衝部材内に挿入できる。
【０００９】
本発明の請求項５記載の点火コイルによると、緩衝部材を複数の部材から構成することにより、緩衝部材の製造が容易になる。
本発明の請求項６、７または８記載の点火コイルによると、中心コア部と緩衝部材とが一体成形されているので、組付時に緩衝部材が中心コア部から脱落せず、組付けが容易になる。ここで一体成形とは、中心コア部に形成した緩衝部材が脱着不能であり、中心コア部の外周に緩衝部材を形成した状態で全体として一部品を構成していることを意味する。
【００１０】
本発明の請求項９記載の点火コイルによると、緩衝部材が中心コア部の全表面を覆うことにより、中心コア部は樹脂絶縁材やケース部材と接することがない。したがって、中心コア部周囲の樹脂絶縁材やケース部材にクラックが発生することを防止できる。
本発明の請求項１０記載の点火コイルによると、中心コア部の端部角部が面取りされているので、中心コア部の端部角部と接する緩衝部材に亀裂が発生することを防止できる。
【００１４】
【発明の実施の形態】
以下、本発明の実施の形態を示す複数の実施例について図面に基づいて説明する。
（第１実施例）
本発明の第１実施例による点火コイルを図１〜図４に示す。
【００１５】
図１に示す点火コイル１０は、図示しないエンジンブロックの上部に気筒毎に形成されたプラグホール内に収容され、図示しない点火プラグと図１の下側で電気的に接続している。
点火コイル１０は樹脂材料からなる円筒状のハウジング１１を備えており、このハウジング１１内に形成された収容室１１ａに、中心コア部１２、二次スプール２０、二次コイル２１、一次スプール２３、一次コイル２４、外周コア２５等が収容されている。中心コア部１２は、コア本体１３と、コア本体１３の両端に配設された永久磁石１４、１５とからなる。収容室１１ａに充填されたエポキシ樹脂２６は点火コイル１０内の各部材間に浸透し、樹脂絶縁材として部材間の電気絶縁を確実なものとしている。
【００１６】
円柱棒状のコア本体１３は薄い珪素鋼板を横断面がほぼ円形となるように径方向に積層して組立てられている。永久磁石１４、１５は、コイルにより励磁されて発生する磁束の方向とは逆方向の極性を有している。また、コア本体１３の外周を緩衝部材としてのゴム製の筒部材１７が覆っている。さらに、筒部材１７で覆われた永久磁石１４に貫通孔を有するキャップ１９が嵌合している。キャップ１９および二次スプール２０は中心コア部１２の外周を取り囲むケース部材を構成している。
【００１７】
筒部材１７は図２に示すように円筒袋状に一体成形されている。筒部材１７は、円筒部１７ａと、円筒部１７ａの軸方向両端に設けられ中央に貫通孔１８を形成した環状部１７ｂ、１７ｃと、円筒部１７ａと環状部１７ｂ、１７ｃとの間にそれぞれ位置する角部１７ｄとからなる。図３および図４に示すように、円筒部１７ａは中心コア部１２の外周側面を覆い、環状部１７ｂ、１７ｃは中心コア部１２の軸方向両端面の一部を覆い、角部１７ｄは中心コア部１２の両端角部である永久磁石１４、１５の端部角部を覆っている。環状部１７ｂ、１７ｃは円筒部１７ａよりも厚くなるように成形されており、緩衝部材の一部を構成している。貫通孔１８の径は永久磁石１４、１５の径よりも小さいので、コア本体１３、永久磁石１４、１５は、貫通孔１８を広げながら筒部材１７内に挿入される。
【００１８】
図１に示すように、二次スプール２０は筒部材１７の外周に配設されており、永久磁石１５側が閉塞した有底筒状に樹脂材料で成形されている。二次コイル２１は二次スプール２０の外周に巻回されており、二次コイル２０の高電圧側にさらにダミーコイル２２が一重巻き程度に巻回されている。ダミーコイル２２は二次コイル２１とターミナルプレート４０とを電気的に接続している。単線ではなくダミーコイル２２で二次コイル２１とターミナルプレート４０とを電気的に接続することにより、二次コイル２１とターミナルプレート４０との電気的接続部の表面積を大きくし、電気的接続部への電界集中を避けている。
【００１９】
一次スプール２３は二次コイル２１の外周に配設されており、樹脂材料で成形されている。一次コイル２４は一次スプール２３の外周に巻回されている。一次コイル２４へ制御信号を供給するスイッチング回路は点火コイル１０の外部に設けられており、コネクタ３０にインサート成形されたターミナルを介して一次コイル２４と図示しないスイッチング回路とが電気的に接続されている。
【００２０】
外周コア２５は一次コイル２４のさらに外側に装着されている。外周コア２５は、薄い珪素鋼板を筒状に巻回し巻回開始端と巻回終了端とを接続していないので軸方向に隙間を形成している。外周コア２５は永久磁石１４の外周位置から石１５の外周位置にわたる軸方向長さを有する。
高圧ターミナル４１はハウジング１１の下方にインサート成形されている。ターミナルプレート４０の中央部は高圧ターミナル４１を挿入する方向に折り曲げられた爪部を構成している。この爪部に高圧ターミナル４１の先端が挿入することにより、高圧ターミナル４１はターミナルプレート４０と電気的に接続している。ダミーコイル２２の高電圧端の線材は、フュージングまたははんだ付け等でターミナルプレート４０に電気的に接続されている。スプリング４２は高圧ターミナル４１と電気的に接続するとともにプラグホールに点火コイル１０を挿入した際に点火プラグと電気的に接続する。ハウジング１１の高電圧側開口端にゴムからなるプラグキャップ４３が装着されており、このプラグキャップ４３に点火プラグを挿入する。スイッチング回路から一次コイル２４に制御信号を供給すると二次コイル２１に高電圧が発生し、この高電圧がダミーコイル２２、ターミナルプレート４０、高圧ターミナル４１、スプリング４２を介して点火プラグに印加される。
【００２１】
次に、温度変化に伴う点火コイル１０の作動について説明する。
中心コア部１２の外周を取り囲む二次スプール２０やエポキシ樹脂２６の膨張率は中心コア部１２を構成するコア本体１３、永久磁石１４、１５の膨張率と異なっている。通常二次スプール２０やエポキシ樹脂２６の膨張率の方が中心コア部１２の膨張率よりも大きい。したがって、中心コア部１２が筒部材１７で覆われておらず、二次スプール２０やエポキシ樹脂２６が中心コア部１２と直接接していると、温度変化により中心コア部１２と二次スプール２０やエポキシ樹脂２６とが膨張および収縮を繰り返すことにより中心コア部１２と接する二次スプール２０やエポキシ樹脂２６にクラックが発生することがある。特に永久磁石１４、１５の端部角部と接する二次スプール２０やエポキシ樹脂２６にクラックが発生し易い。永久磁石１４、１５の端部角部と接する二次スプール２０やエポキシ樹脂２６にクラックが発生すると、高電圧部である二次コイル２１の高電圧側、ダミーコイル２２、ターミナルプレート４０または高圧ターミナル４１と、低電圧部である中心コア部１２との間でクラックを通って放電することがある。高電圧部と中心コア部１２との間で放電すると、高電圧部と中心コア部１２との間の絶縁が破壊され二次コイルに発生する電圧が低下するので点火プラグに所望の高電圧を印加できなくなる。
【００２２】
しかしながら第１実施例では、中心コア部１２の外周側面、ならびに永久磁石１４、１５の端部角部を弾性材である筒部材１７が覆い、中心コア部１２の外周側面、ならびに永久磁石１４、１５の端部角部と二次スプール２０やエポキシ樹脂２６とが直接接することを防止している。さらに、温度変化に伴い膨張率の異なる中心コア部１２と二次スプール２０やエポキシ樹脂２６とが膨張および収縮を繰り返しても、筒部材１７が弾性変形することにより膨張率の差を吸収することができる。したがって、中心コア部１２の外周側面の周囲、ならびに特にクラックの発生し易い中心コア部１２の両端角部付近の二次スプール２０やエポキシ樹脂２６にクラックが発生することを防止するので、高電圧部と中心コア部１２との間で放電することを防止できる。これにより、点火プラグに所望の高電圧を印加することができる。
【００２３】
また、キャップ１９、二次スプール２０およびエポキシ樹脂２６の膨張率は、コア本体１３、永久磁石１４、１５からなる中心コア部１２の膨張率と異なり大きいので、温度が低下すると、キャップ１９、二次スプール２０およびエポキシ樹脂２６の収縮により中心コア部１２を径方向および軸方向に収縮させようとする力が働く。特に中心コア部１２の軸方向に力が加わると、コア本体１３の透磁率が低下する磁歪が発生し、二次コイル２１に発生する電圧が低下する恐れがある。しかしながら、中心コア部１２の外周側面を円筒部１７ａが覆い、軸方向両端の一部を円筒部１７よりも厚い環状部１７ｂ、１７ｃが覆っているので、筒部材１７が弾性変形することにより中心コア部１２が径方向および軸方向に受ける力は緩和され、コア本体１３に磁歪が発生しない。これにより、点火プラグに所望の高電圧を印加することができる。
【００２４】
第１実施例では、コア本体１３の両端に永久磁石１４、１５を配設したが、コア本体１３の一端にだけ永久磁石を配設してもよい。
（第２実施例）
本発明の第２実施例による点火コイルを図５に示す。第１実施例と実質的に同一構成部分には同一符号を付す。
【００２５】
第２実施例では、コア本体２７の両端に永久磁石を配設せず、コア本体２７単体で中心コア部を構成している。コア本体２７の外周側面、両端角部および両端面の一部を筒部材１７が覆っている。
したがって、第２実施例においても、コア本体２７の外周側面の周囲、ならびに特にクラックの発生し易いコア本体２７の両端角部付近の二次スプール２０やエポキシ樹脂２６にクラックが発生することを防止するので、高電圧部と中心コア部１２との間で放電することを防止できる。これにより、点火プラグに所望の高電圧を印加することができる。
【００２６】
さらに、筒部材１７が弾性変形することによりコア本体２７が径方向および軸方向に受ける力は緩和され、コア本体２７に磁歪が発生しない。これにより、点火プラグに所望の高電圧を印加することができる。
（第３実施例）
本発明の第３実施例による点火コイルを図６および図７に示す。第１実施例と実質的に同一構成部分には同一符号を付す。
【００２７】
ゴム製の筒部材５０は、円筒部５０ａ、角部５０ｂおよび円板部５０ｃからなり、永久磁石１５側が閉塞した有底の円筒袋状に成形されている。円筒部５０ａが中心コア部１２の外周側面を覆い、環状の角部５０ｂが永久磁石１５の端部角部を覆い、円板部５０ｃが永久磁石１５の端面を覆っている。筒部材５０は、永久磁石１４側に永久磁石１４の端面よりも延びて成形されている。ゴム製の板部材５１は筒部材５０と別体に円形状に成形されており、永久磁石１４よりも径が大きい。ゴム製の筒部材５０およびゴム製の板部材５１は緩衝部材を構成している。永久磁石１４の端部角部は筒部材５０および板部材５１に覆われており、永久磁石１４の端面は板部材５１により覆われている。さらに、板部材５１はケース部材としてのキャップ１９と永久磁石１４との間をシールしているので、中心コア部１２にエポキシ樹脂２６が進入してこない。
【００２８】
第３実施例においても、中心コア部１２の外周側面の周囲、ならびに特にクラックの発生し易い中心コア部１２の両端角部付近の二次スプール２０やエポキシ樹脂２６にクラックが発生することを防止するので、高電圧部と中心コア部１２との間で放電することを防止できる。これにより、点火プラグに所望の高電圧を印加することができる。
【００２９】
さらに、筒部材５０および板部材５１が弾性変形することにより中心コア部１２が径方向および軸方向に受ける力は緩和され、中心コア部１２に磁歪が発生しない。これにより、点火プラグに所望の高電圧を印加することができる。
緩衝部材は筒部材５０および板部材５１の二つの部材で構成され、筒部材５０は軸方向の一端に端面をもたない有底筒状に成形されているので、緩衝部材の製造が容易である。
【００３０】
（第４実施例）
本発明の第４実施例による点火コイルを図８および図９に示す。第３実施例と実質的に同一構成部分には同一符号を付す。
ゴム製の筒部材５２は、円筒部５２ａ、角部５２ｂおよび環状部５２ｃからなり、円筒袋状に成形されている。円筒部５２ａが中心コア部１２の外周側面を覆い、環状の角部５２ｂが永久磁石１５の端部角部を覆い、環状部５２ｃが永久磁石１５の端面の一部を覆っている。円筒部５２ａは永久磁石１４側に延びているが、その端部は永久磁石１４の端面に達していない。
【００３１】
ゴム製の板部材５３、５４は筒部材５２と別体に円形状に成形されている。ゴム製の筒部材５２およびゴム製の板部材５３、５４は緩衝部材を構成している。板部材５３、５４は永久磁石１４、１５よりも径が小さく、それぞれ永久磁石１４、１５の端面に当接している。
図８に示すように、永久磁石１４の端部角部は空間部１００に面し、どの部材とも非接触である。さらに、板部材５３はケース部材としてのキャップ１９と永久磁石１４との間をシールしているので、中心コア部１２にエポキシ樹脂２６が進入してこない。
【００３２】
第４実施例では、永久磁石１４の端部角部が空間部１００に面し、永久磁石１５の端部角部が筒部材５２で覆われているので、中心コア部１２の軸方向の両端角部が二次スプール２０やエポキシ樹脂２６と接していない。さらに、中心コア部１２の外周側面を円筒部５２ａが覆っているので、温度変化にともない中心コア部１２、二次スプール２０およびエポキシ樹脂２６が膨張および収縮を繰り返しても、中心コア部１２の外周側面の周囲、ならびに特にクラックの発生し易い中心コア部１２の両端角部付近の二次スプール２０やエポキシ樹脂２６にクラックが発生することを防止するので、高電圧部と中心コア部１２との間で放電することを防止できる。これにより、点火プラグに所望の高電圧を印加することができる。
【００３３】
さらに、板部材５３、５４が弾性変形することにより中心コア部１２が径方向および軸方向に受ける力は緩和され、中心コア部１２に磁歪が発生しない。これにより、点火プラグに所望の高電圧を印加することができる。また、緩衝部材である板部材５３は永久磁石１４の端面とキャップ１９との間のシール部材を兼ねているので、部品点数が減少し組付け工数が低減する。
【００３４】
第４実施例では、永久磁石１４側の端部角部が空間部１００に面し、他部材と非接触にしたが、永久磁石１５の端部角部が空間部に面するようにしてもよいし、永久磁石１４、１５の両方の端部角部が空間部に面するようにしてもよい。
以上説明した本発明の上記複数の実施例では、中心コア部の外周側面および軸方向の両端角部の少なくとも一方を緩衝部材である筒部材で覆い、他方を筒部材で覆うか、空間部に面するようにしている。したがって、中心コア部と膨張率の異なる二次スプール２０やエポキシ樹脂２６等が中心コア部の外周側面および両端角部と接触することを防止するとともに、緩衝部材が弾性変形することにより膨張率の差を吸収している。したがって、温度変化に伴い中心コア部、二次スプール２０やエポキシ樹脂２６が膨張および収縮を繰り返しても、中心コア部の外周側面の周囲、ならびに特にクラックの発生しやすい中心コア部の軸方向の両端角部付近において二次スプール２０やエポキシ樹脂２６にクラックが発生することを防止できる。これにより、点火コイル内の高電圧部と低電圧部である中心コア部との間でクラックに沿って放電が発生することを防止できるので、所望の高電圧を点火プラグに印加することができる。
【００３５】
さらに、中心コア部の外周側面を筒部材が覆い、中心コア部の軸方向両端面を筒部材または緩衝部材の一部としての板部材が覆っているので、温度変化にともない中心コア部とともに中心コア部と膨張率の異なる二次スプール２０やエポキシ樹脂２６が膨張および収縮しても、筒部材または板部材が弾性変形することにより、中心コア部が径方向および軸方向に受ける力が緩和される。したがって、中心コア部に磁歪が発生せず所望の高電圧を点火プラグに印加することができる。
【００３６】
上記複数の実施例では、緩衝部材を構成する筒部材は、中心コア部の軸方向に延び、中心コア部の少なくとも一方の端部角部、ならびに外周側面を覆うように成形されているが、緩衝部材を複数の部材で構成し、緩衝部材が中心コア部の端部角部だけを覆うようにしてもよい。
また本発明の上記複数の実施例では、筒部材および板部材をゴムで成形したが、筒部材および板部材をエラストマー樹脂で成形し、筒部材に中心コア部をインサート成形することもできる。また、エラストマー樹脂で成形した筒部材に中心コア部を挿入してもよい。
【００３７】
また、射出成形、焼き付けまたはディップ（dipping)による一体成形によりエラストマー樹脂やゴム等の弾性部材が中心コア部１２の表面を覆って緩衝部材を形成してもよい。この場合、緩衝部材は中心コア部１２の全表面を覆ってもよいし、中心コア部１２の端部を識別するために一方の端部に小さい貫通孔を設けてもよい。中心コア部１２と緩衝部材とを一体成形することにより組付け時に緩衝部材が中心コア部１２から脱落しないので、組付けが容易になる。
【００３８】
また、予めコア本体１３に永久磁石１４、１５を装着して中心コア部１２を構成し、中心コア部１２に熱収縮チューブを被せて熱収縮チューブを熱収縮させることにより緩衝部材を形成してもよい。
また、中心コア部１２の端部角部、つまり永久磁石１４、１５の端部角部に研磨またはボール通し等の処理を施して面取りすることにより、中心コア部１２の端部角部に接する緩衝部材が損傷することを防止してもよい。
【図面の簡単な説明】
【図１】本発明の第１実施例による点火コイルを示す断面図である。
【図２】第１実施例の筒部材を示す断面図である。
【図３】図１のIII 線部分の拡大図である。
【図４】図１のIV線部分の拡大図である。
【図５】本発明の第２実施例による点火コイルを示す断面図である。
【図６】本発明の第３実施例による点火コイルの一方の端部を示す断面図である。
【図７】第３実施例による点火コイルの他方の端部を示す断面図である。
【図８】本発明の第４実施例による点火コイルの一方の端部を示す断面図である。
【図９】第４実施例による点火コイルの他方の端部を示す断面図である。
【符号の説明】
１０      点火コイル
１１      ハウジング
１２      中心コア部
１３      コア本体（中心コア部）
１４、１５        永久磁石（中心コア部）
１７      筒部材（緩衝部材）
１７ｂ、１７ｃ    環状部（緩衝部材）
１７ｄ    角部（緩衝部材）
１８      貫通孔
１９      キャップ（ケース部材）
２０      二次スプール（ケース部材）
２１      二次コイル
２３      一次スプール
２４      一次コイル
２５      外周コア
２６      エポキシ樹脂（樹脂絶縁材）
２７      コア本体（中心コア部）
５０      筒部材（緩衝部材）
５０ｃ    円板部（緩衝部材）
５１      板部材（緩衝部材）
５２      筒部材（緩衝部材）
５３、５４        板部材（緩衝部材）
１００      空間部
【図１】
0003587024.tif 000002
【図２】
0003587024.tif 000003
【図３】
0003587024.tif 000004
【図４】
0003587024.tif 000005
【図５】
0003587024.tif 000006
【図６】
0003587024.tif 000007
【図７】
0003587024.tif 000008
【図８】
0003587024.tif 000009
【図９】
0003587024.tif 000010